(57)【特許請求の範囲】
【請求項１】
イジェクトボタンの押し力にリンクしてガイドフレームに受容されたカードデバイスを排出するカード排出機構を有するカードコネクタであって、
前記イジェクトボタンは、前記ガイドフレームにカードデバイスが受容されているときに、前記押し力の方向と垂直にスライドして前記カードデバイスの端辺に係合して排出を阻止するロックボタンを有し、更に
前記ガイドフレームの一側面に掛止め部を有し、
前記イジェクトボタンは、前記ロックボタンを、前記イジェクトボタンの押し力の方向と垂直方向にスライド可能に保持する固定ボタンを有し、
前記固定ボタンは、前記押し力の方向の縦溝を内側に有し、
前記掛止め部は、前記固定ボタンの縦溝に係合する突起を有し、
前記ガイドフレームにカードデバイスが受容されていないときは、前記掛止め部の前記縦溝に係合する突起位置が、前記ロックボタンの下側にあり、前記掛止め部が、前記ロックボタンに対向して前記ロックボタンのスライドを不能とする、
ことを特徴とするカードコネクタ。
【請求項２】
請求項１において、
前記ガイドフレームにカードデバイスが受容されているときは、前記掛止め部の前記縦溝に係合する突起位置が、前記ロックボタンと前記掛止め部が対向する位置にある
ことを特徴とするカードコネクタ。
【請求項３】
イジェクトボタンの押し力にリンクしてガイドフレームに受容されたカードデバイスを排出するカード排出機構を有するカードコネクタであって、
前記イジェクトボタンは、前記ガイドフレームにカードデバイスが受容されているときに、前記押し力の方向と垂直にスライドして前記カードデバイスの端辺に係合して排出を阻止するロックボタンを有し、更に
前記ガイドフレームの一側面に掛止め部を有し、
前記ガイドフレームにカードデバイスが受容されていないときは、前記掛止め部が、前記ロックボタンに対向して前記ロックボタンのスライドを不能とし、
前記ガイドフレームは、金属板で形成され、
前記掛止め部は、前記ガイドフレームの一側面板から切り起こされて形成される、
ことを特徴とするカードコネクタ。
【発明の詳細な説明】
【技術分野】
【０００１】
本発明は、カードコネクタに関し、特に、カード排出機構を備えるカードコネクタに関する。
【背景技術】
【０００２】
パーソナルコンピュータをはじめ、情報端末機器等種々の情報処理機器の外部記憶装置として、不揮発性の書込み読出し可能のフラッシュメモリを搭載したコンパクトフラッシュ（登録商標）（ＣＦ）メモリ、ＳＤメモリあるいは、磁気ディスクを搭載したコンパクトディスクメモリ等のカード状の記録媒体が使用されている。さらに、外部付加機能装置としてＩＣカードが使用されている。
【０００３】
これら、カード状の記録媒体及びＩＣカード（以降、単にカードデバイスと呼ぶ）を情報処理機器に接続するには、専用のコネクタ（以降、カードコネクタと呼ぶ）を介して接続する。
【０００４】
カードコネクタには、情報処理機器と電気的に接続される接続ピンが設けられている。
【０００５】
一方、カードデバイスの後端部には、前記カードコネクタの接続ピンに対応する複数の接続ピン挿入孔が設けられている。さらに、カードデバイス内部には、カードコネクタにカードデバイスを挿入した状態で接続ピン挿入孔を通して挿入されるカードコネクタの接続ピンと電気的接続がなされる複数の接続電極が設けられている。
【０００６】
すなわち、カードデバイスを、接続ピン挿入孔がカードコネクタの接続ピンに向かうようにカードコネクタ本体に挿入すると、カードデバイスの接続電極がカードコネクタの接続ピンと電気的に接続された状態となる。
【０００７】
ついで、かかる電気的な接続状態を解除する場合は、カードデバイスをカードコネクタから引き抜くことにより可能である。しかし、一般にカードデバイスが、カードコネクタに挿入された状態では、カードデバイスはその先端部まで情報処理機器内に収められた状態であり、カードデバイスを引き出すことは、困難である。
【０００８】
かかる点からカードコネクタには、イジェクタ機構が設けられている（特許文献１，２）。
【０００９】
特許文献１，２に記載のイジェクタ機構は、レバーの一端をカードコネクタの前方から後方に延びる押し込み部材の先端に対応させ、更に前記レバーの他端側をカードコネクタに挿入されたカードデバイスの後端部に対応させている。
【００１０】
そして、押し込み部材を押し下げることにより、前記レバーの「てこ」の作用により、カードデバイスの後端部を押し出すように構成されている。
【００１１】
しかし、かかる引き出す機構における押し込み部材が、不用意に押し下げられると、前記コネクタ接続ピンとカードデバイスの接続電極との意図しない接続解除が行われ、情報処理に使用をきたす恐れがある。
【００１２】
したがって、特許文献１，２に記載の発明においては、カードコネクタに接続されたカードデバイスが、不用意に抜き出され、カードコネクタの接続ピンとの接続が解除される状態を回避するべく、カードが挿入された状態において横方向にスライドしてカードの前端の肩部を抑えるロック機構（遮蔽部材）を付加している。
【００１３】
これにより、カードは遮蔽部材が、元の状態に戻されない限り、カードの抜き出しが不能であり、不用意なコネクタからの接続解除が回避できる。
【先行技術文献】
【特許文献】
【００１４】
【特許文献１】特開平８−２５０２０８号公報
【特許文献２】特開平８−３２０９１８号公報
【発明の概要】
【発明が解決しようとする課題】
【００１５】
上記のとおり、カードコネクタに挿入されたカードの抜き出しが行われないようにする遮蔽部材は、特許文献１の発明においては、カードコネクタに挿入された状態で、横方向にスライドしてカードデバイスの抜き出しを防止するが、コネクタにカードが挿入されていない状態であっても、遮蔽部材のスライドが可能である。
【００１６】
このために、カードコネクタにカードデバイスが挿入されていない状態で、遮蔽部材がスライドされていると、カードデバイスをカードコネクタに挿入することが妨げられる状態となる。かかる状態では、一旦遮蔽部材を元の状態に戻し、カードデバイスを挿入し、その後遮蔽部材を再びスライドして挿入されたカードデバイスの抜き出しを防止するという二重の作業が必要である。
【００１７】
一方、特許文献２の発明においては、カードデバイスの挿入移動と連動して、遮蔽部材となるロックピンを移動するカム機構を押し込み部材（イジェクタボタンに連結したアーム）に設けている。これにより、カードデバイスをカードコネクタに挿入する過程で、カム機構によりロックピンを移動して、カードデバイスの後端側肩部に係合させて、カードデバイスの挿入状態を固定する。反対にカードデバイスをカードコネクタから抜き出す際は、イジェクタボタンの押し下げに連動してカム機構によりロックピンを元の状態に移動する構成である。
【００１８】
したがって、上記特許文献１の発明では、カード挿入の際に、遮蔽部材を退避させる作業が必要となる場合がある。また、特許文献２の発明では、カム機構によりロックピンの移動を連動させるために、カードデバイスの排出機構は複雑とならざるを得ない。
【００１９】
したがって、本願発明の目的はかかる従来発明における不都合を解消する、挿入されたカードデバイスの排出機構を備えたカードコネクタを提供することにある。
【課題を解決するための手段】
【００２０】
上記目的を達成する本発明に従うコネクタは、第1の態様として、イジェクトボタンの押し力にリンクしてガイドフレームに受容されたカードデバイスを排出するカード排出機構を有するカードコネクタであって、前記イジェクトボタンは、前記ガイドフレームにカードデバイスが受容されているときに、前記押し力の方向と垂直にスライドして前記カードデバイスの端辺に係合して排出を阻止するロックボタンを有し、更に  前記ガイドフレームの一側面に掛止め部を有し、前記ガイドフレームにカードデバイスが受容されていないとき、前記掛止め部が、前記ロックボタンに対向して前記ロックボタンのスライドを不能とすることを特徴とする。
【００２１】
上記目的を達成する本発明に従うコネクタは、第２の態様として、第1の態様において、前記イジェクトボタンは、前記ロックボタンを、前記イジェクトボタンの押力の方向と垂直方向にスライド可能に保持する固定ボタンを有することを特徴とする。
【００２２】
上記目的を達成する本発明に従うコネクタは、第３の態様として、前記第２の態様において、前記固定ボタンは、前記押し力の方向の縦溝を内側に有し、前記掛止め部は、前記固定ボタンの縦溝に係合する突起を有し、前記ガイドフレームにカードデバイスが受容されていないときは、前記掛止め部の前記縦溝に係合する突起位置が、前記ロックボタンの下側にあり、前記ガイドフレームにカードデバイスが受容されているときは、前記掛止め部の前記縦溝に係合する突起位置が、前記ロックボタンと前記掛止め部が対向する位置にあることを特徴とする。
【００２３】
上記目的を達成する本発明に従うコネクタは、第４の態様として、前記第1乃至３のいずれかの態様において、前記ガイドフレームは、金属板で形成され、
前記掛止め部は、前記ガイドフレームの一側面板から切り起こされて形成されることを特徴とする。
【図面の簡単な説明】
【００２４】
【図１】本発明に従うカードコネクタのガイドフレームの斜視図である。
【図２】図1に対応するガイドフレームの６面図である。
【図３】ガイドフレームにイジェクタ機構及び接続ピンが組み込まれたカードコネクタの斜視図である。
【図４】図３に対応するカードコネクタの６面図である。
【図５】本発明に従うイジェクト機構の詳細を説明する図であり、カードデバイスが、挿入されていない状態を示す図である。
【図６】固定ボタンの斜視図と、６面図を示す図である。
【図７】ロックボタンの斜視図と、６面図を示す図である。
【図８】固定ボタンのスライド溝と、ロックボタンのレール部の対応関係を示す図である。
【図９】カードデバイスが、カードコネクタに挿入された状態を示す図である。
【図１０】ロックボタンにより、挿入されたカードデバイスをロックする状態を説明する図である。
【図１１】図１０の状態からカードデバイスをカードコネクタの接続ピンとの接続を外した状態を示す図である。
【発明を実施するための形態】
【００２５】
以下に本発明の実施例を図面に従い説明する。
【００２６】
図１は、本発明に従うカードコネクタのガイドフレームの斜視図であり、図２は、図1に対応するガイドフレームの６面図である。
【００２７】
図１、図２において、カードコネクタのガイドフレーム１は金属で形成され、矢印Ｄは、カードデバイスの挿入される方向、両方向矢印は、カードコネクタの前後方向を示す。以降の本発明の説明において、両方向矢印について、Ａ方向はカードコネクタの前方側、Ｂ方向はカードコネクタの後方側と定義する。
【００２８】
カードコネクタのガイドフレーム１の６面図を示す図２において、（１）は上面図、（２）は底面図、（３）、（４）はそれぞれ左、右側面図、（５）は正面図、（６）は背面図である。
【００２９】
図示されたカードコネクタのガイドフレーム１の特徴として、左右側面（図２（３），（４））を有し、右側面の板材から切り起された「コ」字状に曲げられ、先端がカードコネクタの前方側に向いた掛止め部２を有する。
【００３０】
図１の右下にガイドフレーム１の右側面から見た掛止め部２の形状を示している。「コ」字状に折り曲げられてカードコネクタの前方向に向いた掛止め部２の形状は、先端側に左右に突起を有する略Ｔ字状に形成されている。
【００３１】
かかる掛止め部２の機能は、後に詳細に説明する。
【００３２】
さらに、同様に右側の側面板には、板材から切り起こされたイジェクタ機構の押し込み部を保持する爪部３，４が形成されている。
【００３３】
図３は、ガイドフレーム１にイジェクタ機構及び接続ピンが組み込まれたカードコネクタの斜視図である。  
【００３４】
図４は、図３に対応するカードコネクタの６面図であり、（１）は上面図、（２）は底面図、（３）（４）はそれぞれ左、右側面図、（５）は正面図、（６）は背面図である。
【００３５】
図４の正面図（５）と背面図（６）に示すように、絶縁ブロック体２０に複数の導電ピンが埋め込まれている。導電ピンのカードコネクタの前方側に向かう複数のピン６が、情報処理装置内の他の回路と接続される接続ピンあり、カードコネクタの後方側に向かう複数の接続ピン７が、カードデバイスの接続ピン挿入孔を通して、カードデバイスの接続電極と接続する接続ピンである。
【００３６】
イジェクタ機構は、イジェクトボタン１０と、イジェクトボタン１０に繋がる押し込み部材１１、連結レバー（回転アーム）１２、更に押し出し板１３を有して構成される。
【００３７】
イジェクトボタン１０は、後に詳細に説明するように固定ボタン１０Ａとロックボタン１０Ｂで構成される。
【００３８】
イジェクトボタン１０は、押し込み部材１１と繋がり、従ってイジェクトボタン１０をカードコネクタの前方側に押し込むと、押し込み部材１１も押し込まれる。押し込み部材１１の先端部１１Ａは、連結レバー１２の一端側のカギ状部１２Ａと係合しているので、押し込み部材１１が押し込まれると連結レバー１２の一端側を押し込む状態となる。
【００３９】
回転アームである連結レバー１２は、略中央部で止め部５に軸支されている。したがって、連結レバー１２は、押し込み部材１１が押し込まれると、連結レバー１２の一端側１２Ａがカードコネクタの前方側に押し出され、止め部５を支点に回転し、反対側の端部１２Ｂがカードコネクタの後方側（両矢印Ｂ方向）に向かう。
【００４０】
さらに、連結レバー１２の他端１２Ｂには窓部を有し、押し出し板１３が連結されている。したがって、連結レバー１２の他端１２Ｂが、カードコネクタの後方側に向かうと、押し出し板１３がカードデバイスを押し出すように作動する。
【００４１】
これにより、カードコネクタの接続ピン７が、カードデバイスの接続ピン挿入穴から抜けてカードデバイスをカードコネクタからの抜き出すことが可能となる。
【００４２】
図５は、本発明に従うイジェクト機構の詳細を説明する図であり、カードデバイスが、挿入されていない状態を示している。
【００４３】
図５において、イジェクトボタン１０は、固定ボタン１０Ａとロックボタン１０Ｂにより構成され、図５（１）に固定ボタン１０Ａとロックボタン１０Ｂが、一体にされた状態を示し、図５（２）は、固定ボタン１０Ａとロックボタン１０Ｂの断面状態で、固定ボタン１０Ａとロックボタン１０Ｂの係合関係を示している。
【００４４】
後に詳細に図示説明するように、ロックボタン１０Ｂは、固定ボタン１０Ａの溝レールに沿って、スライド可能に勘合するように構成されている。
【００４５】
カードデバイスがカードコネクタに挿入された状態では、ロックボタン１０Ｂをスライドすることにより、カードデバイスの抜けを防止できる。
【００４６】
一方、カードデバイスが、挿入されていない図５の状態では、イジェクトボタン１０は押し込まれた状態で、連結レバー１２の一端１２Ａが、カードコネクタの前方側に、そして他端１２Ｂが、カードコネクタの後方側に位置している。
【００４７】
図５（２）において、○で囲んだロックボタン１０Ｂと掛止め部２の係合関係を拡大して示している。
【００４８】
掛止め部２は、先に説明したようにガイドフレーム１の側板から切り出され「コ」字状に折り曲げられている。
【００４９】
カードデバイスが、挿入されていない状態においては、図５（２）の拡大部に示されるように、「コ」字状の掛止め部２のＴ字状の左右の突起(図１参照)が固定ボタン１０Ａの両側壁に形成された縦溝１０Ａ−１に位置し、ロックボタン１０Ｂの縦軸１０Ｂ−１の前部に位置する状態にある。
【００５０】
したがって、ロックボタン１０Ｂは、縦軸１０Ｂ−１が、「コ」字状の掛止め部２により移動が阻止されて、固定ボタン１０Ａの溝レールに沿って、左方向(図５(２)の矢印Ｘ方向)へのスライドが規制される。
【００５１】
これにより、カードデバイスが、挿入されていない状態において、固定ボタン１０Ａのスライド位置により、カードデバイスの挿入の際に、一旦固定ボタン１０Ａを戻さなければならなくなるという従来構成の不都合が解消される。
【００５２】
図６及び図７は、それぞれ固定ボタン１０Ａとロックボタン１０Ｂの斜視図と、６面図を示す図である。
【００５３】
図６において、 (１)〜(６)は固定ボタン１０Ａの６面図であり、（１）は正面図(２)（３）は左右側面図、(４)は裏面図、(５)は底面図、(６)は上面図である。
【００５４】
さらに、(７)は、（５）のＡ−Ａ線に沿う断面図を示している。（８）は固定ボタン１０Ａの斜視図である。
【００５５】
固定ボタン１０Ａに形成された縦溝１０Ａ-1に、図５において説明したように、掛止め部２のＴ字状の左右の突起が係合する。
【００５６】
縦方向に長い孔部１０Ａ-２には、押し込み部材１１の後端部１１Ｂが挿入され、押し込み部材１１と固定ボタン１０Ａが一体となる（図５（２））。
【００５７】
固定ボタン１０Ａには、ロックボタン１０Ｂがスライド可能に係合するためのスライド溝１０Ａ-ａ,１０Ａ-ｂ,１０Ａ-ｃを有している。
【００５８】
一方、図７において、 (１)〜(６)はロックボタン１０Ｂの６面図であり、（１）は正面図(２)（３）は左右側面図、(４)は裏面図、(５)は底面図、(６)は上面図である。さらに、(７)はロックボタン１０Ｂの斜視図である。
【００５９】
ロックボタン１０Ｂには、縦軸１０Ｂ-１を有し、固定ボタン１０Ａの両側間に位置づけられる。さらに、固定ボタン１０Ａのスライド溝１０Ａ-ａ,１０Ａ-ｂ,１０Ａ-ｃに対応する、レール部１０Ｂ-ａ,１０Ｂ-ｂ,１０Ｂ-ｃを有する。
【００６０】
図８は、かかる固定ボタン１０Ａのスライド溝１０Ａ-ａ,１０Ａ-ｂ,１０Ａ-ｃと、ロックボタン１０Ｂのレール部１０Ｂ-ａ,１０Ｂ-ｂ,１０Ｂ-ｃの対応関係を示している。
【００６１】
ロックボタン１０Ｂのレール部１０Ｂ-ａ,１０Ｂ-ｂ,１０Ｂ-ｃが、それぞれ対応する固定ボタン１０Ａのスライド溝１０Ａ-ａ,１０Ａ-ｂ,１０Ａ-ｃにスライド可能に挿入される。
【００６２】
図９は、カードデバイス１００が、カードコネクタに挿入された状態を示す図である。図９（１）は固定ボタン１０Ａとロックボタン１０Ｂが、一体にされた状態を示し、図９（２）は、カードデバイス１００が、カードコネクタに挿入された状態における固定ボタン１０Ａとロックボタン１０Ｂの断面状態で、固定ボタン１０Ａとロックボタン１０Ｂの係合関係を示している。
【００６３】
カードデバイス１００が、カードコネクタに挿入された状態では、図９（２）に示すように、ロックボタン１０Ｂの縦軸１０Ｂ-１の先端は、「コ」字状の掛止め部２から離れた位置にある。
【００６４】
したがって、このときは矢印Ｘ方向にスライドが可能である。
【００６５】
図１０は、ロックボタン１０Ｂにより、挿入されたカードデバイスをロックする状態を説明する図である。
【００６６】
図１０は、図９と同様に固定ボタン１０Ａとロックボタン１０Ｂが、一体にされた状態（図１０（１））を示し、カードデバイス１００が、カードコネクタに挿入された状態における固定ボタン１０Ａとロックボタン１０Ｂの断面状態で、固定ボタン１０Ａとロックボタン１０Ｂの係合関係を示している。ロックボタン１０Ｂによりカードデバイス１００をロックした状態（図１０（２））を示す図である。
【００６７】
すなわち、図９に示す状態において、ロックボタン１０ＢをＸ方向(図９)にスライドすることにより、図１０において、ロックボタン１０Ｂによりカードデバイス１００の肩部１００Ａに係合している状態となる。
【００６８】
これにより、ロックボタン１０を元のスライド位置に戻さない限り、カードデバイス１００が、カードコネクタから不用意に抜き出されることを防止出来る。
【００６９】
さらに、図１１は、図１０の状態からカードデバイス１００をカードコネクタの接続ピン７(図４)との接続を外した状態を示す図である。
【００７０】
この状態にするには、図１０の状態において、ロックボタン１０ＢをＸ方向(図９)と反対方向にスライドすることにより、ロックボタン１０Ｂをカードデバイス１００の肩部１００Ａから退避させる。
【００７１】
次いで、イジェクトボタン１０をカードコネクタの前方向に押し込む。これにより、カードデバイス１００は、カードコネクタの後方向に押し出され、接続ピン７との接続が外される。これにより容易にカードコネクタからカードデバイス１００を抜き出すことが可能になる。
【００７２】
以上述べたように本願発明により、カードデバイスの挿入の妨げとなるロック機構の改善を、コネクタの小型化を妨げるカム機構等の複雑な機構を用いることなく、簡易な構造で実現することが可能である。
【符号の説明】
【００７３】
１    カードコネクタのガイドフレーム
２    掛止め部
３，４  爪部
５    止め部
６、７  接続ピン
１０    イジェクトボタン
１０Ａ  固定ボタン
１０Ｂ  ロックボタン
１１    押し込み部
１２    連結レバー（回転アーム）
１３    押し出し板
２０    絶縁ブロック体
【図１】
0005554190.tif 000002
【図２】
0005554190.tif 000003
【図３】
0005554190.tif 000004
【図４】
0005554190.tif 000005
【図５】
0005554190.tif 000006
【図６】
0005554190.tif 000007
【図７】
0005554190.tif 000008
【図８】
0005554190.tif 000009
【図９】
0005554190.tif 000010
【図１０】
0005554190.tif 000011
【図１１】
0005554190.tif 000012